(57)【要約】      （修正有）【課題】容器のプルトップのリング状部に通しやすいシート状プルトップ開封具を提供する。【解決手段】プルトップ３を有する容器２の開封を補助するシート状プルトップ開封具１であり、本体部１０と、本体部１０の少なくとも一端に設けられた挿入先端部１２とを備える。本体部１０の一部分は、リング状部４に引っ掛けられる引っ掛け部１６を構成する。開封具１を挿入先端部１２からリング状部４に挿入し、引っ掛け部１６において折り返してループさせ、引っ掛け部１６を境とする両側部分を互いに重ね合わせる。引っ掛け部１６をリング状部４に引っ掛けた状態で、開封具１の両側部分を容器２におけるプルトップ３の配置面から遠ざける方向にまとめて引っ張ることにより、プルトップ３をその配置面から引き起し可能である。挿入先端部１２は、その先端側に向けて徐々に先細となる略三角形状に設定されている。【選択図】図３
0003140986.tif 000002
【実用新案登録請求の範囲】
【請求項１】
開封用のプルトップを有し前記プルトップにはリング状部が形成された容器の開封を補助するシート状プルトップ開封具であって、
本体部と、該本体部の少なくとも一端に設けられ当該シート状プルトップ開封具を前記リング状部に挿入する際の挿入先端を構成する挿入先端部と、を備え、
前記本体部の少なくとも一部分は、前記リング状部に引っ掛けられる引っ掛け部を構成し、
当該シート状プルトップ開封具を、前記挿入先端部から前記リング状部に挿入し、当該シート状プルトップ開封具を前記引っ掛け部において折り返してループさせ、該引っ掛け部を境とする当該シート状プルトップ開封具の両側部分を互いに重ね合わせ、前記引っ掛け部を前記リング状部に引っ掛けた状態で、該引っ掛け部を境とする当該シート状プルトップ開封具の両側部分を前記容器における前記プルトップが配置された面から遠ざける方向にまとめて引っ張ることにより、前記プルトップを該プルトップが配置された面から引き起こすことが可能に構成され、
前記挿入先端部は、その先端側に向けて徐々に先細となる略三角形状又は紡錘形状に設定されていることを特徴とするシート状プルトップ開封具。
【請求項２】
当該シート状プルトップ開封具における一方の面は印字可能領域を有し、他方の面には粘着層が形成されていることを特徴とする請求項１に記載のシート状プルトップ開封具。
【請求項３】
前記粘着層は、前記他方の面のうち、当該シート状プルトップ開封具の少なくとも一方の先端部を除く領域に形成されていることを特徴とする請求項２に記載のシート状プルトップ開封具。
【請求項４】
前記引っ掛け部には、当該シート状プルトップ開封具を折り返し容易とするための押し刃加工が施されていることを特徴とする請求項１乃至３のいずれか一項に記載のシート状プルトップ開封具。
【請求項５】
前記本体部は、その全体に亘って、前記挿入先端部における最大幅の部分と略等しい幅を有することを特徴とする請求項１乃至４のいずれか一項に記載のシート状プルトップ開封具。
【請求項６】
前記挿入先端部は、前記本体部の両端にそれぞれ設けられていることを特徴とする請求項１乃至５のいずれか一項に記載のシート状プルトップ開封具。
【請求項７】
開封用のプルトップを有し、前記プルトップにはリング状部が形成された容器であって、
当該容器の何れかの表面には、請求項２又は３に記載のシート状プルトップ開封具が、前記粘着層により接着されていることを特徴とする容器。
【考案の詳細な説明】
【技術分野】
【０００１】
本考案は、シート状プルトップ開封具及び容器に関する。
【背景技術】
【０００２】
開封用のプルトップを備える缶などの容器が一般に知られているが、缶におけるプルトップの配置面（例えば上面）とプルトップとのクリアランスが狭いことが多いため、プルトップを指先や爪で引き起こす作業が困難な場合も多い。
【０００３】
このような事情に鑑み、例えば、特開２００１−１７１６６２号公報には、プルトップを備える缶などの容器の開封を補助する開封具が開示されている。
【０００４】
図５は特開２００１−１７１６６２号公報に開示された開封具１００１を示す図であり、このうち（ａ）は開封具１００１の平面図、（ｂ）は開封具１００１を用いて缶１００２を開封する動作を説明するための要部斜視図である。
【０００５】
図５（ａ）に示すように、開封具１００１は、その両方の端部１００７が幅広に形成され、中央部１００８が狭く形成された、シート状のものである。
【０００６】
図５（ｂ）に示すように、缶１００２の上面には、プルトップ１００３が固定部１００４においてカシメ止めされている。
【０００７】
プルトップ１００３において、固定部１００４を基準とした一端側は、固定部１００４を支点として該一端側を引き起こすための引起部１００５を構成している。この引起部１００５には、リング状のリング状部１００６が形成されている。
【０００８】
また、プルトップ１００３において、固定部１００４を基準として引起部１００５とは反対側の部分は、缶１００２の上面に形成されたスコア１００５よりも内側部分を缶１００２の内側に押し込む押込部１００６を構成している。
【０００９】
缶１００２を開封するには、先ず、開封具１００１における一方の端部１００７をリング状部１００６に通し、該開封具１００１をその中心線１００９（図５（ａ））に沿って折り返し、該中心線１００９を基準とする両側部分を相互に重ね合わせる。これにより、図５（ｂ）に示す状態となる。
【００１０】
次に、この状態で、開封具１００１の両方の端部１００７を指などでつまみ、まとめて上側に引き上げることにより、固定部１００４を支点として引起部１００５を引き起こし、更に、引起部１００５を上側に引き上げる。
【００１１】
すると、この動作に伴い、押込部１００６は、缶１００２の上面をスコア１００５に沿って切り裂きながら、スコア１００５よりも内側部分を缶１００２の内側へと押し込むことにより、缶１００２を開封する。
【００１２】
こうして、開封具１００１を用いることにより、プルトップ１００３を容易に引き起こし、缶１００２を開封することができる。
【考案の開示】
【考案が解決しようとする課題】
【００１３】
しかしながら、上記の開封具１００１の場合、両方の端部１００７が幅広であるため、端部１００７を缶１００２のプルトップ１００３のリング状部１００６に通しにくいという問題がある。
【００１４】
本考案は以上のような問題点に鑑みてなされたものであり、容器のプルトップのリング状部に通しやすい開封具を提供することを目的とする。
【課題を解決するための手段】
【００１５】
上記の目的を達成するため、本考案は、開封用のプルトップを有し前記プルトップにはリング状部が形成された容器の開封を補助するシート状プルトップ開封具であって、本体部と、該本体部の少なくとも一端に設けられ当該シート状プルトップ開封具を前記リング状部に挿入する際の挿入先端を構成する挿入先端部と、を備え、前記本体部の少なくとも一部分は、前記リング状部に引っ掛けられる引っ掛け部を構成し、当該シート状プルトップ開封具を、前記挿入先端部から前記リング状部に挿入し、当該シート状プルトップ開封具を前記引っ掛け部において折り返してループさせ、該引っ掛け部を境とする当該シート状プルトップ開封具の両側部分を互いに重ね合わせ、前記引っ掛け部を前記リング状部に引っ掛けた状態で、該引っ掛け部を境とする当該シート状プルトップ開封具の両側部分を前記容器における前記プルトップが配置された面から遠ざける方向にまとめて引っ張ることにより、前記プルトップを該プルトップが配置された面から引き起こすことが可能に構成され、前記挿入先端部は、その先端側に向けて徐々に先細となる略三角形状又は紡錘形状に設定されていることを特徴としている。
【００１６】
本考案においては、当該シート状プルトップ開封具における一方の面は印字可能領域を有し、他方の面には粘着層が形成されていることが好ましい。
【００１７】
本考案においては、前記粘着層は、前記他方の面のうち、当該シート状プルトップ開封具の少なくとも一方の先端部を除く領域に形成することができる。
【００１８】
本考案においては、前記引っ掛け部には、当該シート状プルトップ開封具を折り返し容易とするための押し刃加工を施すことができる。
【００１９】
本考案においては、前記本体部は、その全体に亘って、前記挿入先端部における最大幅の部分と略等しい幅を有するものとして構成することができる。
【００２０】
本考案においては、前記挿入先端部は、前記本体部の両端にそれぞれ設けることができる。
【００２１】
また、本考案は、開封用のプルトップを有し、前記プルトップにはリング状部が形成された容器であって、当該容器の何れかの表面には、本発明のシート状プルトップ開封具が、前記粘着層により接着されていることを特徴としている。
【考案の効果】
【００２２】
本発明によれば、シート状プルトップ開封具の本体部の少なくとも一端に設けられた挿入先端部が、その先端側に向けて徐々に先細となる略三角形状又は紡錘形状に設定されているので、シート状プルトップ開封具を容器のプルトップのリング状部に通しやすくなる。
【考案を実施するための最良の形態】
【００２３】
〔第１の実施形態〕
図１は第１の実施形態に係るシート状プルトップ開封具１を示す図であり、このうち（ａ）は表側の面を、（ｂ）は裏側の面を、それぞれ示す。
【００２４】
図２は、第１の実施形態に係る容器としての缶２を示す斜視図である。
【００２５】
先ず、缶２の構造を説明する。
【００２６】
図２に示すように、缶２の上面２０には、開封用のプルトップ３が固定部５においてカシメ止めされている。
【００２７】
プルトップ３において、固定部５を基準とした一端側は、固定部５を支点として該一端側を引き起こすための引起部６を構成している。この引起部６には、リング状のリング状部４が形成されている。
【００２８】
また、プルトップ３において、固定部５を基準として引起部６とは反対側の部分は、缶２の上面に形成されたスコア７よりも内側部分を缶２の内側に押し込む押込部８を構成している。
【００２９】
そして、例えば、缶２の胴体部９には、シート状プルトップ開封具１が粘着により貼り付けられている。
【００３０】
なお、缶２の全体形状は、例えば、図２に示すように、円筒形状であることが最も一般的であるが、缶２が容器としての機能を果たすことができ、且つ、プルトップ３を用いて缶２を開封できるようなものであれば、缶２は如何なる形状であっても良い。
【００３１】
次に、シート状プルトップ開封具１の構造を説明する。
【００３２】
本実施形態に係るシート状プルトップ開封具１は、例えばプルトップを有する缶２などの容器の開封を補助する可撓性のシート状の開封具である。
【００３３】
図１に示すように、本実施形態に係るシート状プルトップ開封具１は、例えば、本体部１０と、この本体部１０の両端に該本体部１０と連続的に形成された挿入先端部１１、１２と、を備えている。
【００３４】
挿入先端部１１，１２は、シート状プルトップ開封具１をプルトップ３のリング状部４に挿入する際の挿入先端を構成するものである。つまり、挿入先端部１１，１２のうちの何れか一方の部分から先に、シート状プルトップ開封具１をプルトップ３のリング状部４に挿入できるようになっている。
【００３５】
挿入先端部１１、１２は、例えば、その先端側に向けて徐々に先細となる略三角形状に設定されている。
【００３６】
なお、挿入先端部１１，１２の先端の角度α（図１（ａ））は、鋭角であることが好ましい。
【００３７】
また、本体部１０は、例えば、その全体に亘って、挿入先端部１１，１２における最大幅の部分（具体的には、挿入先端部１１，１２における本体部１０との境界部）と略等しい幅Ｗ（図１（ａ））を有する。
【００３８】
図１（ａ）に示すように、例えば、シート状プルトップ開封具１の表側の面（一方の面）は、印字が可能な印字可能領域を有しており、所定の印字１３，１４が施されている。
【００３９】
なお、印字可能領域は、シート状プルトップ開封具１の表側の面の全面に形成されていても良いし、該表側の面の一部に形成されていても良い。
【００４０】
また、図１（ｂ）に示すように、例えば、シート状プルトップ開封具１の裏側の面（他方の面）には、粘着層１５（図１（ｂ）の網掛け部分）が形成されている。
【００４１】
そして、図２に示すように、シート状プルトップ開封具１は、粘着層１５により、缶２の例えば胴体部９に貼り付けられている。
【００４２】
ここで、図１（ｂ）に示すように、粘着層１５は、シート状プルトップ開封具１の裏側の面のうち、例えば、挿入先端部１２の裏側を除く領域に形成されている。
【００４３】
これにより、挿入先端部１２をつまんでシート状プルトップ開封具１を缶２の胴体部９から容易に引きはがすことができるようになっている。
【００４４】
更に、挿入先端部１２の表側に施された印字１４は、例えば、シート状プルトップ開封具１を缶２の胴体部９から引きはがす際に挿入先端部１２から引きはがせば良い旨を、開封者に知らせるような内容となっている。
【００４５】
すなわち、具体的には、例えば、図１（ａ）に示すように、「ここからはがしてください」という印字１４が挿入先端部１２の表側の面に施されている。
【００４６】
なお、本体部１０の表側の印字１３としては、例えば、図１（ａ）に示すように、プレゼント応募情報を示す印字であることが挙げられる。
【００４７】
また、本体部１０の一部分、具体的には、例えば中央部は、リング状部４に引っ掛けられる引っ掛け部１６を構成している。
【００４８】
この引っ掛け部１６の中央には、本体部１０の幅方向に亘って、直線状の押し刃加工１７が施されている。
【００４９】
この押し刃加工１７は、該押し刃加工１７に沿ってシート状プルトップ開封具１を折り返し容易とするためのものである。
【００５０】
なお、この押し刃加工１７は、刃先の形状が丸い押し刃をシート状プルトップ開封具１に押圧することによって施すことが好ましく、これにより、押し刃加工１７に沿ってシート状プルトップ開封具１が切断されてしまうことが防止される。
【００５１】
次に、このようなシート状プルトップ開封具１を用いて缶２を開封する動作を説明する。
【００５２】
先ず、缶２の開封を行う者（以下、開封者）は、挿入先端部１２をつまんでシート状プルトップ開封具１を缶２の胴体部９から引き剥がす。
【００５３】
次に、開封者は、挿入先端部１１，１２のうちの何れか一方から、シート状プルトップ開封具１をプルトップ３のリング状部４内に挿入する。なお、この挿入の際には、シート状プルトップ開封具１において粘着層１５が形成されていない方の面を缶２の上面２０側に向ける。
【００５４】
次に、開封者は、粘着層１５が形成された方の面が内側になるようにして、引っ掛け部１６に施された直線状の押し刃加工１７に沿ってシート状プルトップ開封具１を折り返してループさせ、引っ掛け部１６を境とするシート状プルトップ開封具１の両側部分を互いに重ね合わせる。
【００５５】
これにより、引っ掛け部１６を境とするシート状プルトップ開封具１の両側部分は、粘着層１５により互いに貼り合わされる。
【００５６】
よって、図３に示すように、シート状プルトップ開封具１がプルトップ３のリング状部４に取り付けられた状態となる。
【００５７】
次に、開封者は、引っ掛け部１６をリング状部４に引っ掛けた状態で、該引っ掛け部１６を境とするシート状プルトップ開封具１の両側部分を、指などでつまんで、缶２の上面２０から遠ざける方向（図３の矢印Ａ方向）にまとめて引っ張る。
【００５８】
この引っ張り動作に伴い、プルトップ３の引起部６が固定部５を支点として缶２の上面２０から引き起こされ、缶２の上面２０と引起部６との間のクリアランスが拡大する。
【００５９】
よって、開封者は、指先で容易に引起部６を更に引き起こすことができる。
【００６０】
このように、引起部６を更に引き起こすのに伴い、プルトップ３の押込部８は、固定部５を支点として、スコア７よりも内側部分を缶２の内側へと押す方向に移動し、缶２の上面をスコア７に沿って切り裂きながら、スコア７よりも内側部分を缶２の内側へと押し込む。
【００６１】
これにより、缶２が開封される。
【００６２】
このように、シート状プルトップ開封具１を用いることにより、プルトップ３を容易に引き起こし、缶２を開封することができる。
【００６３】
なお、シート状プルトップ開封具１を用いて缶２の上面２０と引起部６との間のクリアランスを拡大させた後、引起部６を更に引き起こす動作についても、引き続き、シート状プルトップ開封具１の両側部分を、指などでつまんで、缶２の上面２０から遠ざける方向にまとめて引っ張ることにより行っても良い。
【００６４】
また、開封後には、開封者が、挿入先端部１１と挿入先端部１２とを別々の手の指でそれぞれつまんで、互いに引き離す方向にそれぞれ引っ張ることにより、容易に、粘着層１５による粘着状態を解除させ、シート状プルトップ開封具１をリング状部４から取り外すことができる。
【００６５】
よって、例えば、シート状プルトップ開封具１をプレゼントに応募するためにハガキに貼り付ける必要がある場合にも好適である。
【００６６】
以上のような第１の実施形態によれば、シート状プルトップ開封具１は、本体部１０と、この本体部１０の両端に設けられシート状プルトップ開封具１を缶２のプルトップ３のリング状部４に挿入する際の挿入先端を構成する挿入先端部１１，１２と、を備え、挿入先端部１１，１２が、その先端側に向けて徐々に先細となる略三角形状に設定されているので、シート状プルトップ開封具１をリング状部４に通しやすい。
【００６７】
また、シート状プルトップ開封具１における表側の面は印字可能領域を有し、裏側の面には粘着層１５が形成されているので、印字可能領域に施された印字１３，１４を開封者に向けて表示するようにして、シート状プルトップ開封具１を好適に缶２などの容器の何れかの表面に貼り付けることができる。
【００６８】
しかも、シート状プルトップ開封具１を引っ掛け部１６において折り返してその両側部分を互いに重ね合わせた際に、該両側部分を粘着層１５により互いに貼り付けることができるので、該両側部分をつまんでプルトップ３の引起部６を引き起こす際に、該両側部分が互いにずれてしまうことがなく、該引き起こし動作を行いやすい。
【００６９】
更に、粘着層１５は、シート状プルトップ開封具１の裏側の面のうち、挿入先端部１２の裏側部分を除く領域に形成されているので、該挿入先端部１２をつまむことにより、シート状プルトップ開封具１を容易に缶２などの容器から引き剥がすことができる。しかも、開封後にシート状プルトップ開封具１をリング状部４から取り外す動作も、容易となる。
【００７０】
また、引っ掛け部１６には、シート状プルトップ開封具１を折り返し容易とするための押し刃加工１７が施されているので、シート状プルトップ開封具１を折り返す作業が容易となる。
【００７１】
また、特開２００１−１７１６６２号公報に開示された開封具１００１においては、プルトップ１００３を引き起こす際に最も負荷が加わる中央部１００８が幅狭であるため、開封具１００１の強度を確保しにくいという問題もあるが、本実施形態に係るシート状プルトップ開封具１においては、本体部１０は、その全体に亘って、挿入先端部１１，１２における最大幅の部分と略等しい幅を有するので、シート状プルトップ開封具１の強度を確保しやすい。
【００７２】
〔第２の実施形態〕
上記の第１の実施形態では、容器が缶２である例を説明したが、第２の実施形態では、容器がボトルである例を説明する。
【００７３】
図４は第２の実施形態に係る容器としてのボトル３０を示す図であり、このうち（ａ）は要部斜視図、（ｂ）は蓋３６を取り外した状態での上面図である。
【００７４】
ボトル３０の口部３１の内周部は、例えば合成樹脂成型品の封止材３２により封止されている。
【００７５】
この封止材３２には、環状のスコア３３が形成されている。
【００７６】
封止材３２におけるスコア３３よりも内側部分には、リング状部３４を有するプルトップ３５が一体的に形成されている。
【００７７】
口部３１の外周部には、蓋３６の内周部に形成されたスクリュー溝（雌部）と螺合するスクリュー溝（雄部）３７が形成されている。
【００７８】
また、ボトル３０の例えば胴体部３８には、上記の第１の実施形態で説明したのと同様のシート状プルトップ開封具１が予め貼り付けられている。
【００７９】
なお、ボトル３０は、胴体部３８、口部３１及び蓋３６が合成樹脂成型品からなるもの（所謂ペットボトルと呼ばれるものなど）であっても良いし、胴体部３８はガラス成型品からなり口部３１及び蓋３６が合成樹脂成型品からなるものであっても良い。
【００８０】
次に、シート状プルトップ開封具１を用いてボトル３０を開封する動作を説明する。
【００８１】
先ず、ボトル３０の開封を行う者（以下、開封者）は、挿入先端部１２をつまんでシート状プルトップ開封具１をボトル３０の胴体部３８から引き剥がす。
【００８２】
次に、開封者は、挿入先端部１１，１２のうちの何れか一方から、シート状プルトップ開封具１をプルトップ３５のリング状部３４内に挿入する。なお、この挿入の際には、シート状プルトップ開封具１において粘着層１５が形成されていない方の面をボトル３０の封止材３２側に向ける。
【００８３】
次に、開封者は、粘着層１５が形成された方の面が内側になるようにして、押し刃加工１７に沿ってシート状プルトップ開封具１を折り返してループさせ、引っ掛け部１６を境とするシート状プルトップ開封具１の両側部分を互いに重ね合わせ、該両側部分を粘着層１５により互いに貼り合わせる。
【００８４】
これにより、シート状プルトップ開封具１がプルトップ３５のリング状部３４に取り付けられた状態となる。
【００８５】
次に、開封者は、引っ掛け部１６をリング状部３４に引っ掛けた状態で、該引っ掛け部１６を境とするシート状プルトップ開封具１の両側部分を、指などでつまんで、ボトル３０の封止材３２から遠ざける方向にまとめて引っ張る。
【００８６】
この引っ張り動作に伴い、プルトップ３５のリング状部３４が封止材３２から引き起こされ、該封止材３２とリング状部３４との間のクリアランスが拡大する。
【００８７】
よって、開封者は、指先で容易にリング状部３４を強く引っ張ることができる。
【００８８】
この引っ張り動作に伴い、封止材３２はスコア３３に沿って切り裂かれ、封止材３２におけるスコア３３よりも内側部分とプルトップ３５とが、封止材３２における残りの部分から切り離される。
【００８９】
これにより、ボトル３０が開封される。
【００９０】
なお、シート状プルトップ開封具１を用いて封止材３２とリング状部３４との間のクリアランスを拡大させた後、リング状部３４を強く引っ張る動作についても、引き続き、シート状プルトップ開封具１の両側部分を、指などでつまんで、ボトル３０の封止材３２から遠ざける方向にまとめて引っ張ることにより行っても良い。
【００９１】
また、開封後には、開封者が、挿入先端部１１と挿入先端部１２とを別々の手の指でそれぞれつまんで、互いに引き離す方向にそれぞれ引っ張ることにより、容易に、粘着層１５による粘着状態を解除させ、シート状プルトップ開封具１をリング状部３４から取り外すことができる。
【００９２】
以上のような第２の実施形態によれば、シート状プルトップ開封具１を用いることにより、容易にボトル３０を開封することができる。
【００９３】
なお、上記の各実施形態では、挿入先端部１１，１２が略三角形状である例を説明したが、挿入先端部１１，１２は紡錘形状であっても良い。
【００９４】
また、上記の各実施形態では、挿入先端部１１，１２が本体部１０の両端に設けられている例を説明したが、本体部１０の何れかの一端に挿入先端部１１又は挿入先端部１２が設けられていればよい。
【００９５】
また、上記の各実施形態では、例えば、プレゼント応募情報としての印字１３をシート状プルトップ開封具１に施した例を説明したが、プレゼント応募情報以外の広告情報などの印字をシート状プルトップ開封具１に施しても良いのは勿論である。
【００９６】
また、上記の各実施形態では、シート状プルトップ開封具１の表側の面に印字可能領域が形成されている例を説明したが、印字可能領域は無くても良い。
【００９７】
また、上記の各実施形態では、シート状プルトップ開封具１の裏側の面に粘着層１５が形成されている例を説明したが、粘着層１５は無くても良い。なお、シート状プルトップ開封具１が粘着層１５を有していない場合、シート状プルトップ開封具１を該シート状プルトップ開封具１とは別の粘着テープなどにより容器に貼り付けておいても良い。
【００９８】
また、上記の各実施形態では、シート状プルトップ開封具１を予め容器（缶２、ボトル３０）に貼り付けておく例を説明したが、シート状プルトップ開封具１を予め容器に貼り付けることはしないでも良い。
【００９９】
また、上記の各実施形態では、シート状プルトップ開封具１に押し刃加工１７が施されている例を説明したが、押し刃加工１７は省略しても良い。
【０１００】
また、引っ掛け部１６は、本体部１０の一部分に限らず、本体部１０の全体を構成しても良い。
【図面の簡単な説明】
【０１０１】
【図１】第１の実施形態に係るシート状プルトップ開封具を示す平面図であり、このうち（ａ）は表側の面を、（ｂ）は裏側の面を、それぞれ示す。
【図２】第１の実施形態に係る容器としての缶を示す斜視図である。
【図３】第１の実施形態に係る容器としての缶が有するプルトップのリング状部に、シート状プルトップ開封具が取り付けられた状態を示す要部斜視図である。
【図４】第２の実施形態に係る容器としてのボトルを示す図であり、このうち（ａ）は要部斜視図、（ｂ）は蓋を外した状態での上面図である。
【図５】従来の開封具を示す図であり、このうち（ａ）は開封具の平面図、（ｂ）は開封具を缶のプルトップのリング状部に取り付けた状態を示す要部斜視図である。
【符号の説明】
【０１０２】
１    シート状プルトップ開封具
２    缶（容器）
３    プルトップ
４    リング状部
１０  本体部
１１  挿入先端部
１２  挿入選端部
１３  印字
１４  印字
１５  粘着層
１６  引っ掛け部
１７  押し刃加工
３０  ボトル
３４  リング状部
３５  プルトップ
【図１】
0003140986.tif 000003
【図２】
0003140986.tif 000004
【図３】
0003140986.tif 000005
【図４】
0003140986.tif 000006
【図５】
0003140986.tif 000007